(57)【要約】      （修正有）【課題】ドアや錠ケースの厚みが薄くてもラッチのケースからの突出度合いを大きくして受座に確実に納まり施錠状態が確保できる反転ラッチ錠の提供。【解決手段】ラッチ２は水平面２ｂと傾斜面２ｃを有する正面視略三角形状のラッチ部２ａを錠ケース１より外方に突出せしめ、その水平面２ｂの内方に回転軸部２ｄを形成しており、その軸部２ｄから水平面２ｂの外端の長さを該軸部２ｄから傾斜面２ｃの上端の高さより大きく形成してあり、かつ上方にラッチピース３の係合部を形成してあり、上記ラッチピース３は外方にラッチ２に係合する係合面３ａを、内方にラッチピーススプリング６の係合部を形成しており、ラッチプレート４は本体の外方にラッチ２の回転軸部２ｄに外嵌する嵌合係合部４ｂを形成し、内方にラッチピーススプリング６およびラッチプレートスプリング７が係合する係合部５を形成した構成とする。【選択図】図２
2011149264.tif 000002
【特許請求の範囲】
【請求項１】
箱状の錠ケースと、該ケースの外方にとりつけられるラッチと、該ラッチの内方にとりつけられるラッチピースおよびラッチプレートと、該ラッチピースとラッチプレート間に介在されるラッチピーススプリングと、ラッチプレートと錠ケース間に介在されるラッチプレートスプリングとを備えており、上記ラッチは水平面と傾斜面を有する正面視略三角形状のラッチ部を錠ケースより外方に突出せしめ、その水平面の内方に回転軸部を形成しており、その軸部から水平面の外端の長さを該軸部から傾斜面の上端の高さより大きく形成してあり、かつ上方にラッチピースの係合部を形成してあり、上記ラッチピースは外方にラッチに係合する係合面を、内方にラッチピーススプリングの係合部を形成しており、ラッチプレートは本体の外方にラッチの回転軸部に外嵌する嵌合係合部を形成し、内方にラッチピーススプリングおよびラッチプレートスプリングが係合する係合部を形成しており、ラッチを施錠状態から解錠状態にするには受座の中に突出しているラッチ部の水平面に受座による押圧力が付加されるとラッチは回転軸部を軸にして所定の角度回転して傾斜面の一部が錠ケースの中に没人し、同時にラッチピースが内方に押動されてラッチピーススプリングが付勢状態を保持しており、次いでさらなる押圧力の付加によってラッチが錠ケースの内方に水平移動してラッチ部が錠ケースの中に没入し、同時にラッチピースおよびラッチプレートも内方に押動されており、同時にラッチピーススプリング及びラッチプレートスプリングが付勢状態を保持しており、受座から脱出して押圧力が付加されなくなった状態で解錠状態となり、ラッチ部が元の状態に復元しており、次いで解錠状態から施錠状態にするには、ラッチ部の傾斜面に受座の押圧力が付加されるとラッチ部が錠ケースの内方に水平移動して没入し、同時にラッチプレート、ラッチピース及びラッチピーススプリングが内方に押動され、ラッチプレートスプリングが付勢状態を保持しており、ラッチ部が受座に対向する位置に納まった状態で受座の押圧力が付加されなくなり元の状態に復元すること特徴とする反転ラッチ錠。
【請求項２】
錠ケースの中にロックハブとロックピースとロックスプリングを備えており、ロックハブは回動軸と、該回動軸の周縁に駆動係合部およびロックスプリングの係合部を形成してなり、ロックピースは外方にラッチの係合部に係合する係合部を、内方にロックハブの駆動係合部に係合する係合部を、さらにロックスプリングの止着部を形成してなり、ロックハブの回動によって駆動係合部が回動し、これに係合してロックピースが内方、外方に移動するように構成されており、その際ロックハブはロックスプリングによって付勢状態を保持しており、施錠状態を保持するにはロックハブの回動軸を回動することによって駆動係合部が回動し、これに係合してロックピースが外方に移動し、ラッチに係合してラッチの回転を阻止するように構成されており、施錠状態を解除するにはロックハブの回動軸を内方に回動することによって駆動係合部が内方に回動してロックピースが内方に移動してラッチとの係合が解かれてラッチの回転が可能になるように構成されていることを特徴とする請求項１記載の反転ラッチ錠。
【請求項３】
ロックハブは回動軸の一方側にサムターンを取り付け、他方側にエマージエンシーをとりつけていることを特徴とする請求項２記載の反転ラッチ錠。
【発明の詳細な説明】
【技術分野】
【０００１】本発明は反転ラッチ錠の改良に関する。
【背景技術】
【０００２】従来反転ラッチ錠は公知である。この種ラッチ錠は門扉、ドア等に使用されている。その構成は門扉、ドア等を開閉するには、その両側表面にとりつけられているハンドル等の操作によってラッチに係合しているストッパーを外し、ラッチが回転できる状態にし、そのままハンドルを把手して門扉、ドア等を開閉する構成である。
【発明の概要】
【発明が解決しようとする課題】
【０００３】上記反転ラッチ錠の構成であれば、開閉状態にするにはハンドル操作によってラッチを受座から脱出、あるいは受座の中に突出させる構成であり、ハンドル操作は幼児や小人には不向きであり、またハンドルはそれなりに大きな、かさばる形状となり、ドア等の両側表面に大きく出っ張り、ドア等を開けた際に隣接の壁や調度品に接触して破損するという危惧がある。
本発明の反転ラッチ錠は、上記従来の欠点を解消している。
【課題を解決するための手段】
【０００４】  その一は「  箱状の錠ケースと、該ケースの外方にとりつけられるラッチと、該ラッチの内方にとりつけられるラッチピースおよびラッチプレートと、該ラッチピースとラッチプレート間に介在されるラッチピーススプリングと、ラッチプレートと錠ケース間に介在されるラッチプレートスプリングとを備えており、上記ラッチは水平面と傾斜面を有する正面視略三角形状のラッチ部を錠ケースより外方に突出せしめ、その水平面の内方に回転軸部を形成しており、その軸部から水平面の外端の長さを該軸部から傾斜面の上端の高さより大きく形成してあり、かつ上方にラッチピースの係合部を形成してあり、上記ラッチピースは外方にラッチに係合する係合面を、内方にラッチピーススプリングの係合部を形成しており、ラッチプレートは本体の外方にラッチの回転軸部に外嵌する嵌合係合部を形成し、内方にラッチピーススプリングおよびラッチプレートスプリングが係合する係合部を形成しており、ラッチを施錠状態から解錠状態にするには受座の中に突出しているラッチ部の水平面に受座による押圧力が付加されるとラッチは回転軸部を軸にして所定の角度回転して傾斜面の一部が錠ケースの中に没人し、同時にラッチピースが内方に押動されてラッチピーススプリングが付勢状態を保持しており、次いでさらなる押圧力の付加によってラッチが錠ケースの内方に水平移動してラッチ部が錠ケースの中に没入し、同時にラッチピースおよびラッチプレートも内方に押動されており、同時にラッチピーススプリング及びラッチプレートスプリングが付勢状態を保持しており、受座から脱出して押圧力が付加されなくなった状態で解錠状態となり、ラッチ部が元の状態に復元しており、次いで解錠状態から施錠状態にするには、ラッチ部の傾斜面に受座の押圧力が付加されるとラッチ部が錠ケースの内方に水平移動して没入し、同時にラッチプレート、ラッチピース及びラッチピーススプリングが内方に押動され、ラッチプレートスプリングが付勢状態を保持しており、ラッチ部が受座に対向する位置に納まった状態で受座の押圧力が付加されなくなり元の状態に復元すること特徴とする反転ラッチ錠」である。【０００５】その二は「上記構成の反転ラッチ錠において、錠ケースの中にロックハブとロックピースとロックスプリングを備えており、ロックハブは回動軸と、該回動軸の周縁に駆動係合部およびロックスプリングの係合部を形成してなり、ロックピースは外方にラッチの係合部に係合する係合部を、内方にロックハブの駆動係合部に係合する係合部を、さらにロックスプリングの止着部を形成してなり、ロックハブの回動によって駆動係合部が回動し、これに係合してロックピースが内方、外方に移動するように構成されており、その際ロックハブはロックスプリングによって付勢状態を保持しており、施錠状態を保持するにはロックハブの回動軸を回動することによって駆動係合部が回動し、これに係合してロックピースが外方に移動し、ランチに係合してラッチの回転を阻止するように構成されており、施錠状態を解除するにはロックハブの回動軸を内方に回動することによって駆動係合部が内方に回動してロックピースが内方に移動してラッチとの係合が解かれてラッチの回転が可能になるよ��に構成されていることを特徴とする反転ラッチ錠」である。【０００６】その三は「上記その二の構成において、ロックハブは回動軸の一方側にサムターンを取り付け、他方側にエマージエンシーをとりつけていることを特徴とする反転ラッチ錠」である。
【発明の効果】
【０００７】本発明の反転ラッチ錠は、ラッチが外方に水平面と傾斜面を有する正面視略三角形状のラッチ部を錠ケースより外方に突出せしめ、その水平面の内方に回転軸部を形成しており、該軸部から水平面の外端の長さを、該軸部から傾斜面の上端の高さよりも大きく形成してあり、このラッチを施錠状態から解錠状態にするには、受座の中に突出しているラッチ部の水平面に押圧力が付加されると、ラッチは軸部を回転軸として所定角度回転して傾斜面の一部が錠ケースの中に没人し、次いで更なる押圧力の付加によってラッチが錠ケースの内方に押動されて移動し、錠ケースの中に没入し、受座から脱出した状態で元の状態に復元するように構成されており、次いで解錠状態から施錠状態にするには、ラッチ部の傾斜面に受座の押圧力が付加されるとラッチ部が錠ケースの内方に押動されて移動し、錠ケースの中に没入し、受座に対向する位置に納まった状態で元の状態に復元するように構成されており、よってドア、門扉等のラッチ部の受座からの脱出、つまり開状態にするには従来のようなハンドル操作が要らず、直にドアを開く方向に引くだけでよく、また閉じる場合には押すだけでよく、ドア表面には単に押し、引きのための把手を設ければよく、上記した従来反転ラッチ錠の欠点が解消される。【０００８】さらに本発明は上記構成の反転ラッチ錠において、錠ケースの中にロックハブとロックピースとロックスプリングを備えており、施錠状態を保持するにはロックハブの回動操作によってロックピースを外方向に移動させ、ラッチに係合してラッチの回転を阻止するように構成されており、トイレや個室使用中に施錠状態の保持、つまりドアを閉状態に保持でき、プライバシーを保護できる。
このロックハブの回動軸の一方側にサムターンを、他方側にエマージエンシーを取り付ければ、ラッチの施錠状態の保持、解除が確実に、容易にできる。
【図面の簡単な説明】
【０００９】
【図１】本発明反転ラッチ錠の説明用の略平面図。
【図２】同じく説明用の正面図で、Ａは図１の正面図、Ｂはラッチが所定角度回転してラッチの一部が錠ケースの中に没入している状態の正面図、Ｃはラッチが錠ケースの中に没入している状態の正面図。
【図３】Ａは錠ケース（ケース本体）の略正面図、ＢはＡのＸ−Ｘ断面図、ＣはＡのＹ−Ｙ断面図。
【図４】Ａは錠ケース（蓋体）の略正面図、ＢはＡのＸ−Ｘ断面図。
【図５】Ａはラッチの略正面図、Ｂは正面図、Ｃは右側面図。
【図６】Ａはラッチピースの略正面図、Ｂは正面図、Ｃは右側面図、ＤはＡのＸ−Ｘ断面図。
【図７】Ａはラッチプレートの略平面図、Ｂは正面図、ＣはＡのＸ−Ｘ断面図。
【図８】スプリング受の略正面図。
【図９】ラッチピーススプリングの略正面図。
【図１０】ラッチプレートスプリングの略正面図。
【図１１】本発明反転ラッチ錠の別の実施例の説明用略平面図。
【図１２】図１１に示すラッチ錠の作動状態を示す説明用略平面図。
【図１３】Ａはロックハブの略平面図、Ｂは正面図、ＣはＢのＸ−Ｘ断面図。
【図１４】Ａはロックピースの略平面図、Ｂは正面図、Ｃは右側面図。
【図１５】ロックスプリングの略正面図。
【図１６】Ａは本発明の別の実施例の説明用略平面図、Ｂは同じく正面図。
【発明を実施するための形態】
【００１０】本発明について実施例を図面を用いて説明する。
図１から図１０において、１は箱状の錠ケースで、１ａは本体である。１ａ１はラッチが突出、没入する開口、１ａ２はロックハブの取付孔、１ａ３は蓋体と本体を一体に止着する支持脚の取付孔、１ａ４はラッチプレートのガイド孔１ａ５はロックピースのガイド孔である。１ｂは蓋体で、１ｂ１はロックハブの取付孔、１ｂ２は上記支持脚の取付孔である。
２はケースの外方に取り付けられるラッチ、該ラッチは水平面２ｂと傾斜面２ｃを有する正面視で略三角形状のラッチ部２ａを錠ケースより外方に突出せしめ、水平面の内方に回転軸部２ｄを形成しており、その軸部から水平面の外端の長さＬを、該軸部から傾斜面の上端の高さＨよりも大きく形成している。しかして内方上方にラッチピースの係合部２ｅを鍵型に形成している。
【００１１】３はラッチの内方に取り付けられるラッチピース、該ラッチピースは外方にラッチの係合部２ｅに係合する係合面３ａを曲面状に形成し、内方にラッチピーススプリングの係合部３ｂを溝状に形成している。
４は同じくラッチの内方に取り付けられるラッチプレート、該ラッチプレートは本体４ａの外方にラッチの回転軸部に外嵌する嵌合係合部４ｂを形成し、内方にラッチピーススプリング及びラッチプレートスプリングが係合する係合部４ｃを立設して形成している。４ｄは係人孔である。４ｅは本体の一側に立設している側壁で、ケースに当接して補強とガイドの機能を有する。４ｆはガイド突起でガイド孔１ａ４に嵌入する。
【００１２】５はスプリング受で、ラッチプレートの係合部４ｃの係入孔４ｄに係合してとりつけられる。このスプリング受の突起５ａ、５ｂにラッチピーススプリングとラッチプレートスプリングが嵌入係合される。
６はラッチピースとラッチプレート間に介在されるラッチピーススプリング、７はラッチプレートとケースの側壁間に介在されるラッチプレートスプリングである。これら両スプリングはラッチプレートの係合部に直に係合してもよい。８は公知のストライク付きの受座である。
【００１３】ラッチを施錠状態（図１、図２Ａの状態）から解錠状態（図２Ｃの状態）にするには受座８の中に突出しているラッチ２のラッチ部２ａの水平面２ｂに矢印方向に押圧力（ドアが閉じた状態から開く方向に作動するとき、受座から受ける押圧力）が付加されると、図２Ａ参照、ラッチは回転軸部２ｄを回転軸にして所定の角度図面では約５０度回転して傾斜面の一部が錠ケースの中に没人し、同時にラッチピースが内方に押動されてラッチピーススプリングが付勢状態を保持している。つまりラッチピーススプリングが弾縮している状態である。図２Ｂの状態である。この状態でラッチ部は傾斜面が錠ケースの上面に当接してこれ以上回転しない。
【００１４】次いでさらに水平面に押圧力が付加されるとラッチがケースの内方に水平移動し、ラッチ部がケースの中に没人し、同時にラッチプレート、ラッチピースも内方に押されており、同時にラッチピーススプリング及びラッチプレートスプリングが付勢状態を保持している。図２Ｃの状態である。
受座からの押圧力が解除された状態つまり受座から脱出してドアを開けた状態ではラッチは元の状態、図１、図２Ａの状態（受座を除く）の状態に復元する。
【００１５】次にドアを開状態から閉状態、つまり解錠状態から施錠状態にするにはラッチ部の傾斜面に受座の押圧力が付加されるとラッチ部が錠ケースの内方に押動されて没入し、ラッチプレート、ラッチピース、ラッチピーススプリングも内方に押動され、ラッチプレートスプリングが付勢状態を保持しており、ラッチ部が受座に対向する位置に納まった状態で元の状態に復元される。この作動状態は十分に理解できよう。
【００１６】図１１から図１５は本発明反転ラッチ錠の別の実施例を示す図面である。
錠ケースの中には上記実施例で備えている各部材に付加してロックハブ９、ロックピース１０、ロックスプリング１１を備えている。
ロックハブ９は回動軸９ａと該回動軸の所定の周縁に駆動係合部９ｂ及びロックスプリングの係合部９ｃを形成している。９ｄは軸孔である。
ロックピース１０は外方にラッチの係合部に係合する段状の係合部１０ａを、内方にロックハブの駆動係合部が係合する係合部１０ｂを、さらに内方にロックスプリングの止着部１０ｃを形成している。１０ｄはガイド突起で、ケース本体のガイド孔１ａ５に嵌入される。
１１はロックスプリングで、一端はロックピースの止着部に取り付けられており、ロックスプリングの係合部９ｃを経て他端がロックピースの外方に支持されている。
【００１７】しかしてロックハブの回動軸の外方、内方の回動によって駆動係合部が回動し、これに係合してロックピースが外方又は内方に移動する。その際ロックハブはロックスプリングによって付勢されて回動するように形成されている。ロックピースを外方に移動することによってラッチに係合してラッチの回転を阻止する。よってラッチの施錠状態が保持される。図１２の状態である。また内方に移動することによってその保持が解除される。図１１の状態である。
【００１８】図１６は本発明のさらに別の実施例を示す図面である。前図において説明している反転ラッチ錠において、ロックハブ９の回動軸の軸孔９ｄに、その一方側にサムターン１２を取り付け、他方側にエマージエンシー１３を取り付けている。軸孔に替えて軸突起でもよい。サムターンの回動によってロックハブが回動し、ロックピースが外方に移動してラッチに係合し、ラッチの回動を阻止し、施錠状態を保持する。この作動機構は前記している。同時にエマージエンシー１３も回動し、これに一体的に係合している表示板１５も回動する。１４ａは把手の表示孔で上記表示板の表示を表す。緊急時に外側からエマージエンシーを元の方向に回動すればロックハブが元の方向に回動し、ロックピースも内方に移動し、ラッチとの係合が解かれて施錠状態の保持が解除される。
１４は把手で、ドアの内、外面に固定状態で取り付けられる。この把手は指が引っ掛けられる程度の大きさ、厚さがあればよく従来のハンドル回動式の把手のように大型でなくてもよい。ドアの開閉、言わば施錠、解錠は単に把手をもって引き、又は押しだけで受座からラッチ部が脱出、又は納まり状態になる。
【００１９】以上本発明を実施例を図面を用いて説明しているが、本発明の技術思想を逸脱しない範囲の設計変更は可能である。例示すればラッチプレートやロックピースの外方、内方への移動をスムーズにするためのガイド機構は適宜設定すればよい。またロックハブへのサムターンやエマージエンシーの取り付け方などは公知の構造を採択できる。
【符号の説明】
【００２０】１      錠ケース
１ａ    本体
１ｂ    蓋体
２      ラッチ
２ａ    ラッチ部
２ｂ    水平面
２ｃ    傾斜面
２ｄ    回転軸部
２ｅ    係合部
３      ラッチピース
３ａ    係合面
３ｂ    係合部
４      ラッチプレート
４ａ    本体
４ｂ    嵌合係合部
４ｃ    係合部
５      スプリング受
６      ラッチピーススプリング
７      ラッチプレートスプリング
８      受座
９      ロックハブ
９ａ    回動軸
９ｂ    駆動係合部
９ｃ    係合部
９ｄ    軸孔
１０    ロックピース
１０ａ  係合部
１０ｂ  係合部
１１    ロックスプリング
１２    サムターン
１３    エマージエンシー
１４    把手
【図１】
2011149264.tif 000003
【図２】
2011149264.tif 000004
【図３】
2011149264.tif 000005
【図４】
2011149264.tif 000006
【図５】
2011149264.tif 000007
【図６】
2011149264.tif 000008
【図７】
2011149264.tif 000009
【図８】
2011149264.tif 000010
【図９】
2011149264.tif 000011
【図１０】
2011149264.tif 000012
【図１１】
2011149264.tif 000013
【図１２】
2011149264.tif 000014
【図１３】
2011149264.tif 000015
【図１４】
2011149264.tif 000016
【図１５】
2011149264.tif 000017
【図１６】
2011149264.tif 000018